(57)【要約】    【課題】  光の利用効率を低下させることなく装置全体の小型化を図ることができる光源装置及びこれを備えたプロジェクタを提供する。    【解決手段】  発光部１１２ａを有する発光管１１２と、  発光部１１２ａから射出された光を反射する楕円面リフレクタ１１４Ａと、  発光部１１２ａから被照明領域側に射出された光を発光部１１２ａに反射する補助ミラー１１３Ａと、を備えた光源装置１１０Ａであって、  補助ミラー１１３Ａは、光源装置１１０Ａの光軸に垂直で互いに直交する２つの方向を第１及び第２の方向とした場合に、光源装置１１０Ａから射出される光束の断面形状が、第１の方向（ｘ方向）に比べて第２の方向（ｙ方向）が小さい形状となるように、反射凹面体の一部が削除された形状を有することを特徴とする光源装置。【選択図】  図２
2005070429.tif 000002
【特許請求の範囲】
【請求項１】
発光部を有する発光管と、
前記発光部から射出された光を反射する楕円面リフレクタと、
前記発光部から被照明領域側に射出された光を前記発光部に反射する補助ミラーと、を備えた光源装置であって、
前記補助ミラーは、前記光源装置の光軸に垂直で互いに直交する２つの方向を第１及び第２の方向とした場合に、前記光源装置から射出される光束の断面形状が、前記第１の方向に比べて前記第２の方向が小さい形状となるように、反射凹面体の一部が削除された形状を有することを特徴とする光源装置。
【請求項２】
請求項１に記載の光源装置において、
前記楕円面リフレクタは、前記発光部からの射出光が前記補助ミラーで反射されずに通過すると仮定した場合に、前記通過する光を反射するために要する反射凹面の領域が削除された形状を有することを特徴とする光源装置。
【請求項３】
請求項１又は２のいずれかに記載の光源装置において、
前記補助ミラーは、前記発光管に空隙を介して配置されていることを特徴とする光源装置。
【請求項４】
請求項１〜３のいずれかに記載の光源装置と、この光源装置からの光を画像情報に応じて変調する電気光学変調装置と、この電気光学変調装置からの変調光を投写する投写レンズを備えたことを特徴とするプロジェクタ。
【請求項５】
請求項４に記載のプロジェクタにおいて、
前記第１の方向は前記プロジェクタの光学系を構成する平面と平行な関係にあり、前記第２の方向は前記プロジェクタの光学系を構成する平面と垂直な関係にあることを特徴とする光源装置。
【請求項６】
請求項４に記載のプロジェクタにおいて、
前記第１の方向は前記プロジェクタの光学系を構成する平面と垂直な関係にあり、前記第２の方向は前記プロジェクタの光学系を構成する平面と平行な関係にあることを特徴とする光源装置。
【発明の詳細な説明】
【技術分野】
【０００１】
本発明は、光源装置及びこれを備えたプロジェクタに関する。
【背景技術】
【０００２】
一般に、プロジェクタは、照明光を射出する照明光学系と、この照明光学系からの照明光を画像信号に応じて変調する電気光学変調装置と、この電気光学変調装置によって変調された光を投写画像としてスクリーンなどの投写面上に投写表示する投写光学系とを備えている。
【０００３】
このようなプロジェクタにおいては、投写表示される画像の輝度分布は略均一であることが好ましい。このため、照明光学系としては、画像が形成される照明領域を略均一な光強度分布で照射することができる、いわゆるインテグレータ光学系が用いられる（例えば特許文献１参照。）。
【０００４】
図１０は、従来の光源装置を説明するために示す平面図である。図１０に示すように、照明光学系８００は、光源装置８１０と、第１レンズアレイ８２０と、第２レンズアレイ８３０と、重畳レンズ８５０とを備えている。各光学要素は、光源装置８１０から射出される略平行な光束の光軸である光源光軸８１０ａｘを基準に配置されている。
光源装置８１０は、発光管８１２，楕円面リフレクタ８１４及び平行化レンズ８１６を有し、発光管８１２から放出された照明光を略平行な光束に変換して射出するように構成されている。
【０００５】
第１レンズアレイ８２０は、複数の小レンズ８２２を有し、照明光学系８００においてアレイ中心点を光源光軸８１０ａｘと一致させて配置されている。そして、光源装置８１０から射出された略平行な光束を複数の部分光束に分割するように構成されている。各小レンズ８２２は、ｚ方向から見た外形形状は、被照明領域Ｄの形状と相似形となる略矩形状の平凸レンズによって形成されている。
第２レンズアレイ８３０は、複数の小レンズ８３２を有し、第１レンズアレイ８２０に対応して配置されている。各小レンズ８３２は、第１レンズアレイ８２０の小レンズ８２２の外形形状と同一の外形形状をもつ平凸レンズによって形成されている。
重畳レンズ８５０は、球面状の凸面を有する平凸レンズからなり、第２レンズアレイ８３０と協働して、第１レンズアレイ８２０の各小レンズ８２２から射出される複数の部分光束を被照明領域Ｄ上に重畳して照射するように構成されている。
【０００６】
このような照明光学系を用いると、被照明領域Ｄにおいては、光源装置８１０から射出された略平行な光束の光強度分布が不均一な場合でも、略均一な光強度分布を有する照明光束を発生させることができる。
【０００７】
ところが、このような従来の照明光学系に用いられる光源装置においては、発光管８１２からの射出光を全て取り込むために、楕円面リフレクタ８１４の被照明領域側に配置される平行化レンズ８１６の有効径が楕円面リフレクタ８１４の開口部の径寸法と略等しい寸法に設定されている。このため、平行化レンズ８１６を含む光学要素の外形形状が大きくなり、装置全体の小型化を図ることができないという問題があった。
【０００８】
そこで、図１１に示すように、発光管９１２の被照明領域側に補助ミラー９１３を配置するとともに楕円面リフレクタ９１４の外形形状を小さくした光源装置９１０が考えられている。図１１は、この光源装置９１０を説明するために示す平面図である。この光源装置９１０によれば、発光管９１２から被照明領域側に射出する光は、図１１に示すように、補助ミラー９１３によって反射されて一旦発光管９１２に戻った後に楕円面リフレクタ９１４側に射出することになる。このため、発光管１１２から被照明領域側に射出する光を楕円面リフレクタで呑み込む必要がなくなるため、楕円リフレクタ９１４の外形形状を小さくするとともに、平行化レンズ９１６や後段の各光学要素の外形形状をも小さくすることができる。その結果、この光源装置９１０によれば、光の利用効率を低下させることなく装置全体の小型化を図ることができる。
【特許文献１】特開２０００−２９２７４０号公報（図１０）
【発明の開示】
【発明が解決しようとする課題】
【０００９】
しかしながら、この光源装置９１０においては、補助ミラー９１３によって反射されて発光管９１２に一旦戻される反射光は、発光管９１２の発光部中心近傍に存在するプラズマにより吸収されてしまい、光の利用効率が低下してしまうという問題があった。
【００１０】
本発明は、このよう問題を解決するためになされたもので、光の利用効率を低下させることなく装置全体の小型化を図ることができる光源装置及びこれを備えたプロジェクタを提供することを目的とする。
【課題を解決するための手段】
【００１１】
（１）本発明の光源装置は、発光部を有する発光管と、前記発光部から射出された光を反射する楕円面リフレクタと、前記発光部から被照明領域側に射出された光を前記発光部に反射する補助ミラーと、を備えた光源装置であって、前記補助ミラーは、前記光源装置の光軸に垂直で互いに直交する２つの方向を第１及び第２の方向とした場合に、前記光源装置から射出される光束の断面形状が、前記第１の方向に比べて前記第２の方向が小さい形状となるように、反射凹面体の一部が削除された形状を有することを特徴とする。
すなわち、本発明の光源装置においては、前記補助ミラーを、前記第１の方向に沿った両端部において前記反射凹面体の一部が削除された形状を有するものとすることを特徴とする。
【００１２】
このため、本発明の光源装置によれば、楕円面リフレクタから射出される光束の断面形状が、第１の方向に比べて第２の方向が小さい形状となる。したがって、平行化レンズをはじめ後段の各光学要素における第２の方向に沿った寸法を短くすることができ、装置全体の小型化を図ることができる。
また、本発明の光源装置は、前記補助ミラーが反射凹面体の一部が削除された形状を有しているため、補助ミラーで反射されて発光部中心に戻る反射光量が減少する。このため、従来のようにはプラズマによって吸収される反射光の量は大きくなく、光利用効率の低下を抑制することができる。
このため、本発明の光源装置は、光の利用効率を低下させることなく装置全体の小型化を図ることができる光源装置となる。
【００１３】
（２）上記（１）に記載の光源装置においては、前記楕円面リフレクタは、前記発光部からの射出光が前記補助ミラーで反射されずに通過すると仮定した場合に、前記通過する光を反射するために要する反射凹面の領域が削除された形状を有するものであることが好ましい。
すなわち、前記楕円面リフレクタを、前記第２の方向に沿った両端部において前記反射凹面の一部が削除された形状を有するものとすることが好ましい。
このように構成することにより、楕円面リフレクタの第２の方向に沿った寸法を短くすることができるので、装置全体のさらなる小型化を図ることができる。
【００１４】
（３）上記（１）又は（２）のいずれかに記載の光源装置において、前記補助ミラーは、前記発光管に空隙を介して配置されていることが好ましい。
このように構成することにより、補助ミラーの取り付け位置などを調整することにより、前記発光管と補助ミラーの位置関係を調整することができ、発光管及び補助ミラーの製造上の誤差を吸収することができる。
【００１５】
（４）本発明のプロジェクタは、上記（１）〜（３）のいずれかに記載の光源装置と、この光源装置からの光を画像情報に応じて変調する電気光学変調装置と、この電気光学変調装置からの変調光を投写する投写レンズをを備えたことを特徴とする。
【００１６】
このため、本発明のプロジェクタによれば、上記したように光の利用効率を低下させることなく装置全体の小型化を図ることができる優れた光源装置を備えているため、小型で高輝度のプロジェクタとなる。
【００１７】
（５）上記（４）に記載のプロジェクタにおいては、前記第１の方向は前記プロジェクタの光学系を構成する平面と平行な関係にあり、前記第２の方向は前記プロジェクタの光学系を構成する平面と垂直な関係にあることが好ましい。
このように構成することにより、楕円面リフレクタから射出される光束の断面形状を、プロジェクタの光学系を構成する平面と垂直な方向に沿って短いものとすることができる。このため、楕円面リフレクタ、平行化レンズをはじめ後段の各光学要素の、これらの方向に沿った寸法を短くすることができるので、装置全体の小型化（特に薄型化）を図ることができる。
【００１８】
（６）上記（４）に記載のプロジェクタにおいては、  前記第１の方向は前記プロジェクタの光学系を構成する平面と垂直な関係にあり、前記第２の方向は前記プロジェクタの光学系を構成する平面と平行な関係にあることも好ましい。
このように構成することにより、楕円面リフレクタから射出される光束の断面形状を、プロジェクタの光学系を構成する平面と平行な方向に沿って短いものとすることができる。このため、楕円面リフレクタ、平行化レンズをはじめ後段の各光学要素の、これらの方向に沿った寸法を短くすることができるので、装置全体の小型化（特に設置面積の縮小化）を図ることができる。
【発明を実施するための最良の形態】
【００１９】
以下、本発明が適用された光源装置及びこれを備えたプロジェクタについて、図に示す実施の形態に基づいて説明する。
まず、本発明のプロジェクタについて、図１を用いて説明する。
【００２０】
図１は、本発明の実施形態に係るプロジェクタの光学系を示す平面図である。なお、以下の説明においては、互いに直交する３つの方向をそれぞれｚ方向（システム光軸と平行な方向）、ｘ方向（ｚ方向に垂直かつ紙面に平行な方向）及びｙ方向（紙面に垂直な方向）とする。
符号１で示すプロジェクタは、図１に示すように、照明光学系１００と、色分離光学系２００と、リレー光学系３００と、３つの液晶表示装置４００Ｒ，４００Ｇ，４００Ｂと、クロスダイクロイックプリズム５００と、投写光学系６００とを備えている。各光学系の構成要素は、クロスダイクロイックプリズム５００を中心に略水平方向に配置されている。
【００２１】
照明光学系１００は、光源装置１１０Ａと、平行化レンズ１１６と、第１のレンズアレイ１２０と、第２のレンズアレイ１３０と、偏光変換素子１４０と、重畳レンズ１５０とを有している。光源装置１１０Ａから射出された光束は第１のレンズアレイ１２０によって複数の部分光束に分割され、各部分光束は第２のレンズアレイ１３０及び重畳レンズ１５０によって照明対象である３つの液晶表示装置４００Ｒ，４００Ｇ，４００Ｂの光入射面（被照明領域）上で重畳される。
【００２２】
光源装置１１０Ａは、発光管１１２、楕円面リフレクタ１１４Ａ及び補助ミラー１１３Ａ（図１には図示せず）によって大略構成されている。
楕円面リフレクタ１１４Ａには、被照明領域側に開口し、回転仮想軸に対称な回転楕円体の一部を除去してなる楕円面鏡が用いられる。
発光管１１２は、その発光部中心が楕円面リフレクタ１１４Ａの一方の焦点に配置され、照明に用いる光を放射するように構成されている。
なお、光源装置１１０Ａについての詳細は後述する。
【００２３】
平行化レンズ１１６は、光源光軸１１０Ａａｘと平行なレンズ光軸を有する凹レンズからなり、光源装置１１０Ａの被照明領域側に配設されている。そして、楕円面リフレクタ１１４Ａからの射出光を平行化するように構成されている。
【００２４】
第１のレンズアレイ１２０及び第２のレンズアレイ１３０は、小レンズをマトリクス状に配列して形成されている。
偏光変換素子１４０は、非偏光な光を３つの液晶表示装置４００Ｒ，４００Ｇ，４００Ｂで利用可能な偏光方向を有する偏光光に揃える機能を有している。
両レンズアレイ１２０，１３０及び偏光変換素子１４０は、楕円面リフレクタ１１４Ａからの射出光の採光効率を最も高くするような位置に配置されている。
【００２５】
色分離光学系２００は、照明光学系１００から射出される照明光を、それぞれ異なる波長域の３色の照明光に分離する機能を有している。第１のダイクロイックミラー２１０は、略青色の光（以下「Ｂ光」という。）を反射するとともに、略緑色の光（以下「Ｇ光」という。）及び略赤色の光（以下「Ｒ光」という。）を透過させる。第１のダイクロイックミラー２１０で反射されたＢ光は、反射ミラー２３０でさらに反射され、フィールドレンズ２４０Ｂを透過してＢ用の液晶表示装置４００Ｂを照明する。
【００２６】
フィールドレンズ２４０Ｂは、照明光学系１００からの複数の部分光束がそれぞれ液晶表示装置４００Ｂを照明するように集光する。通常、各部分光束が、それぞれ略平行な光束となるように設定されている。他の液晶表示装置４００Ｇ，４００Ｒの前に配設されたフィールドレンズ２４０Ｇ，３５０も、フィールドレンズ２４０Ｂと同様に構成されている。
【００２７】
第１のダイクロイックミラー２１０を透過したＧ光とＲ光のうちＧ光は、第２のダイクロイックミラー２２０によって反射され、フィールドレンズ２４０Ｇを透過してＧ用の液晶表示装置４００Ｇを照明する。一方、Ｒ光は、第２のダイクロイックミラー２２０を透過し、リレー光学系３００を通過してＲ用の液晶表示装置４００Ｒを照明する。
【００２８】
リレー光学系３００は、入射側レンズ３１０，入射側反射ミラー３２０，リレーレンズ３３０，射出側反射ミラー３４０及びフィールドレンズ３５０を有している。色分離光学系２００から射出されたＲ光は、入射側レンズ３１０によってリレーレンズ３３０の近傍で収束し、射出側反射ミラー３４０（及びフィールドレンズ３５０）に向かって発散する。フィールドレンズ３５０に入射する光束の大きさは、入射側レンズ３１０に入射する光束の大きさに略等しくなるように設定されている。
【００２９】
各色用の液晶表示装置４００Ｒ，４００Ｇ，４００Ｂは、それぞれの光入射面に入射した色光を、それぞれに対応する色信号（画像信号）に応じた光に変換し、これら変換された光を透過光として射出する。これら液晶表示装置４００Ｒ，４００Ｇ，４００Ｂの入射側には入射側偏光板９１８Ｒ，９１８Ｇ，９１８Ｂが、射出側には射出側偏光板９２０Ｒ，９２０Ｇ，９２０Ｂが、それぞれ配置されている。液晶表示装置４００Ｒ，４００Ｇ，４００Ｂとしては、透過型の液晶パネルが用いられる。
【００３０】
クロスダイクロイックプリズム５００は、各色用の液晶表示装置４００Ｒ，４００Ｇ，４００Ｂから射出される各色の変換光を合成する色合成光学系としての機能を有する。そして、Ｒ光を反射するＲ光反射ダイクロイック面５１０Ｒと、Ｂ光を反射するＢ光反射ダイクロイック面５１０Ｂとを有している。Ｒ光反射ダイクロイック面５１０Ｒ及びＢ光反射ダイクロイック面５１０Ｂは、Ｒ光を反射する誘電体多層膜とＢ光を反射する誘電体多層膜とを４つの直角プリズムの界面に略Ｘ字状に形成することにより設けられている。これら両反射ダイクロイック面５１０Ｒ，５１０Ｂによって３色の変換光が合成され、カラー画像を表示する光が生成される。クロスダイクロイックプリズム５００において生成された合成光は、投写光学系６００に向かって射出される。
【００３１】
投写光学系６００は、複数のレンズを有し、クロスダイクロイックプリズム５００からの合成光を表示画像としてスクリーンなどの投写面上に投写表示するように構成されている。
【００３２】
次に、本発明の実施形態１に係る光源装置について、図２〜図５を用いて詳細に説明する。
［実施形態１］
図２は、本発明の実施形態１に係る光源装置を示す斜視図である。図３は、本発明の実施形態１に係る光源装置を説明するために示す図である。図３（ａ）は平面図であり、同図（ｂ）は側面図であり、同図（ｃ）は正面図である。図４は、本発明の実施形態１に係る光源装置を備えた照明光学系を説明するために模式化して示す図である。図４（ａ）は平面図であり、同図（ｂ）は側面図である。図５は、本発明の実施形態１に係る光源装置におけるリフレクタから平行化レンズに入射する光束の断面形状を説明するために示す正面図である。
【００３３】
実施形態１に係る光源装置１１０Ａは、図２〜図４に示すように、発光管１１２と、楕円面リフレクタ１１４Ａと、補助ミラー１１３Ａとを備えた光源装置である。
楕円面リフレクタ１１４Ａとしては、回転楕円面形状の反射凹面を有する凹面鏡が用いられる。発光管１１２としては、高圧水銀ランプやメタルハライドランプなどを用いることができる。発光管１１２の発光部１１２ａは、その中心Ｐｃが回転楕円面の第１焦点位置となるように配置されている。そして、楕円面リフレクタ１１４Ａで反射された光は、回転楕円面の第２焦点位置で集束する集束光となる。
【００３４】
補助ミラー１１３Ａは、反射凹面体の一部が削除された形状を有し、発光部１１２ａの被照明領域側に配置されている。具体的には、ｘｙ平面に平行で発光部１１２ａの中心Ｐｃを含む平面（光源装置１１０Ａから射出される光束の中心軸である光源光軸１１０Ａａｘに垂直な面）よりも、＋ｚ方向側（光源装置１１０Ａから射出される光の進行方向側）に位置する略半分の管面にアライメント用の空隙１１３ｃを介して対向する部位に補助ミラー１１３Ａが配置されている。
そして、補助ミラー１１３Ａは、光源装置１１０Ａから射出される光束の断面形状が、ｘ方向に比べてｙ方向が小さい形状となるように、反射凹面体の一部が削除された形状を有している。すなわち、実施形態１に係る光源装置１１０Ａにおいては、補助ミラー１１３Ａを、図３（ｃ）に示すように、ｘ方向に沿った両側端部（ｙ方向の正負方向における端部）において反射凹面体の一部が削除された形状を有するものとしている。
【００３５】
なお、上記のような補助ミラー１１３Ａを用いた場合には、図３（ｂ）に示すように、補助ミラー１１３Ａに向かう光Ｌｂｕ，Ｌｂｌが仮に補助ミラー１１３Ａで反射されずに透過したとした場合に、この透過光Ｌｂｕ’，Ｌｂｌ’を反射する楕円面リフレクタ１１４Ａの反射凹面部分は不要となる。そこで、この光源装置１１０Ａにおいては、楕円面リフレクタ１１４Ａを、図２，図３（ｂ），（ｃ）及び図４（ｂ）に示すように、この不要部分が削除された形状を有するものとしている。すなわち、実施形態１に係る光源装置１１０Ａにおいては、楕円面リフレクタ１１４Ａを、ｘ方向に沿った両側端部（ｙ方向の正負方向における端部）において反射凹面の一部が削除された形状を有するものとしている。
【００３６】
これにより、楕円面リフレクタ１１４Ａから射出されて平行化レンズ１１６に入射する光束の断面形状Ｍは、図５に示すように、補助ミラー１１３Ａが配置されていないと仮定した場合において略円形形状であるのに対して、ｘ方向に比べてｙ方向につぶれた形状となる。したがって、実施形態１に係る光源装置１１０Ａにおいては、平行化レンズ１１６をはじめ後段の各光学要素におけるｙ方向に沿った寸法を短くすることができる。このため、楕円面リフレクタ、平行化レンズをはじめ後段の各光学要素の、ｙ方向、すなわちプロジェクタの光学系を構成する平面と垂直な方向に沿った寸法を短くすることができるので、装置全体の小型化（特に薄型化）を図ることができる。
【００３７】
また、実施形態１に係る光源装置１１０Ａにおいては、補助ミラー１１３Ａが反射凹面体の一部が削除された形状を有しているため、補助ミラーで反射されて発光部中心Ｐｃに戻る反射光量が減少する。このため、従来のようにはプラズマによって吸収される反射光の量は大きくなく、光利用効率の低下を抑制することができる。
このため、実施形態１に係る光源装置は、光の利用効率を低下させることなく装置全体の小型化（特に薄型化）を図ることができる光源装置となる。
【００３８】
ところで、補助ミラーが配置されていない光源装置の場合であっても、ｘ方向に沿った両側端部（ｙ方向の正負方向における端部）の反射凹面をカットした楕円面リフレクタを用いれば、実施形態１に係る光源装置１１０Ａと同様な集束光を射出することは可能である。しかしながら、カットされた反射面で本来反射されるはずの光を利用することができなくなるため、この分だけ光の利用効率が低下することになる。
これに対して、実施形態１に係る光源装置１１０Ａでは、射出される集束光の光量を低下させることなく、光源装置１１０Ａから射出される光束の断面形状を、図５に示すようにｘ方向に比べてｙ方向の大きさが小さな形状とすることができる。
【００３９】
なお、実施形態１に係る光源装置１１０Ａにおいては、補助ミラー１１３Ａは、発光管１１２に空隙を介して配置されている。このため、補助ミラー１１３Ａの取り付け位置などを調整することにより、発光管１１２と補助ミラー１１３Ａの位置関係を調整することができ、発光管１１２及び補助ミラー１１３Ａの製造上の誤差を吸収することができる。
また、実施形態１に係る光源装置１１０Ａにおいては、補助ミラー１１３Ａを用いており、発光管１１２の管面に反射膜を直接形成するものではないため、補助ミラー１１３Ａの形状を発光管１１２の形状に適合させる必要がなく、その形状面において自由度を高めることもできる。
【００４０】
補助ミラー１１３Ａの反射面は、凹面に、例えばＴａ２Ｏ５とＳｉＯ２との多層膜を蒸着することにより形成することができる。
【００４１】
次に、本発明の実施形態２について、図６〜図９を用いて説明する。
［実施形態２］
図６は、本発明の実施形態２に係る光源装置を示す斜視図である。図７は、本発明の実施形態２に係る光源装置を説明するために示す図である。図７（ａ）は平面図であり、同図（ｂ）は側面図であり、同図（ｃ）は正面図である。図８は、本発明の実施形態２に係る光源装置を備えた照明光学系を説明するために模式化して示す図である。図８（ａ）は平面図であり、同図（ｂ）は側面図である。図９は、本発明の実施形態２に係る光源装置におけるリフレクタから平行化レンズに入射する光束の断面形状を説明するために示す正面図である。図６〜図９において、図２〜図５と同一の部材については同一の符号を付し、詳細な説明は省略する。
【００４２】
実施形態２に係る光源装置１１０Ｂは、図６〜図８に示すように、実施形態１に係る光源装置１１０Ａと同様に、発光管１１２と、発光部１１２ａから射出された光を反射する楕円面リフレクタ１１４Ｂと、発光部１１２ａから被照明領域側に射出された光の一部を発光部１１２ａに向けて反射する補助ミラー１１３Ｂと、を備えた光源装置である。実施形態２に係る光源装置１１０Ｂが実施形態１に係る光源装置１１０Ａと異なるのは、楕円面リフレクタと補助ミラーの構成である。
すなわち、実施形態２に係る光源装置１１０Ｂにおいては、補助ミラー１１３Ｂは、光源装置１１０Ｂから射出される光束の断面形状が、ｙ方向に比べてｘ方向が小さい形状となるように、反射凹面体の一部が削除された形状を有している。すなわち、実施形態２に係る光源装置１１０Ｂにおいては、補助ミラー１１３Ｂを、図７（ｃ）に示すように、ｙ方向に沿った両側端部（ｘ方向の正負方向における端部）において反射凹面体の一部が削除された形状を有するものとしている。
また、楕円面リフレクタ１１４Ｂは、発光部１１２ａからの射出光が補助ミラー１１３Ｂで反射されずに通過すると仮定した場合に、その通過光を反射するために要する反射凹面の領域が削除された形状を有している。すなわち、実施形態２に係る光源装置１１０Ｂにおいては、楕円面リフレクタ１１４Ｂを、図６，図７（ａ），（ｃ）及び図８（ａ）に示すように、ｙ方向に沿った両側端部（ｘ方向の正負方向における端部）において反射凹面の一部が削除された形状を有するものとしている。
【００４３】
これにより、楕円面リフレクタ１１４Ｂから射出されて平行化レンズ１１６に入射する光束の断面形状Ｍは、図９に示すように、補助ミラー１１３Ｂが配置されていないと仮定した場合において略円形形状であるのに対して、ｙ方向に比べてｘ方向につぶれた形状となる。したがって、実施形態２に係る光源装置１１０Ｂにおいては、平行化レンズ１１６をはじめ後段の各光学要素におけるｘ方向に沿った寸法を短くすることができる。このため、楕円面リフレクタ、平行化レンズをはじめ後段の各光学要素の、ｘ方向、すなわちプロジェクタの光学系を構成する平面に水平な方向に沿った寸法を短くすることができるので、装置全体の小型化（特に設置面積の縮小化）を図ることができる。
【００４４】
なお、実施形態２に係る光源装置１１０Ｂにおいても、実施形態１に係る光源装置１１０Ａの場合と同様に、補助ミラー１１３Ｂが反射凹面体の一部が削除された形状を有しているため、補助ミラーで反射されて発光部中心Ｐｃに戻る反射光量が減少する。このため、従来のようにはプラズマによって吸収される反射光の量は大きくなく、光利用効率の低下を抑制することができる。
このため、実施形態２に係る光源装置は、光の利用効率を低下させることなく装置全体の小型化（特に設置面積の縮小化）を図ることができる光源装置となる。
【００４５】
なお、上記した各実施形態においては、透過型の液晶表示装置を備えた透過型のプロジェクタである場合について説明したが、本発明はこれに限定されず、反射型のプロジェクタであってももちろんよい。
また、上記した各実施形態においては、カラー画像を表示するプロジェクタに適用する場合について説明したが、本発明はこれに限定されず、モノクロ画像を表示するプロジェクタにも各実施形態と同様に適用可能である。
【図面の簡単な説明】
【００４６】
【図１】プロジェクタの光学系を示す平面図。
【図２】実施形態１に係る光源装置を示す斜視図。
【図３】実施形態１に係る光源装置を説明するために示す図。
【図４】実施形態１に係る光源装置を備えた照明光学系を説明するために模式化して示す図。
【図５】実施形態１の光束の断面形状を示す正面図。
【図６】実施形態２に係る光源装置を示す斜視図。
【図７】実施形態２に係る光源装置を説明するために示す図。
【図８】実施形態２に係る光源装置を備えた照明光学系を説明するために模式化して示す図。
【図９】実施形態２の光束の断面形状を示す正面図。
【図１０】従来の光源装置を説明するために示す平面図。
【図１１】従来の他の光源装置を説明するために示す平面図。
【符号の説明】
【００４７】
１…プロジェクタ、１００…照明光学系、１１０Ａ，１１０Ｂ…光源装置、１１２…発光管、１１２ａ…発光部、１１３Ａ，１１３Ｂ…補助ミラー、１１３ｃ…アライメント用の空隙、１１４Ａ，１１４Ｂ…楕円面リフレクタ、１１０Ａａｘ，１１０Ｂａｘ…光源光軸、２００…色分離光学系、３００…リレー光学系、４００Ｒ，４００Ｇ，４００Ｂ…液晶表示装置、５００…クロスダイクロイックプリズム、６００…投写光学系、Ｌｂｕ，ＬＢｌ，Ｌｂｕ’，Ｌｂｌ’，Ｌｂｒ，Ｌｂｌ，Ｌｂｒ’，Ｌｂｌ’…光線、Ｍ…光束の断面形状、Ｐｃ…発光部中心
【図１】
2005070429.tif 000003
【図３】
2005070429.tif 000004
【図４】
2005070429.tif 000005
【図５】
2005070429.tif 000006
【図７】
2005070429.tif 000007
【図９】
2005070429.tif 000008
【図１０】
2005070429.tif 000009
【図１１】
2005070429.tif 000010
【図２】
2005070429.tif 000011
【図６】
2005070429.tif 000012
【図８】
2005070429.tif 000013